(57)【特許請求の範囲】
【請求項１】
保護すべき部位を背部に有する動物が着用するためのジャケットであって、
前記保護すべき部位を覆うことなく前記動物に着用されるジャケット本体と、通気性を有するとともに前記保護すべき部位に接触しない間隔を置いて保護すべき部位を覆うように前記ジャケット本体に固定される保護体と、を備え、
前記ジャケット本体は、前記動物の四肢がそれぞれ挿通するように前記ジャケット本体に設けられた肢用孔部と、
前記ジャケット本体の一側部から延出する装着用固定バンドと、
この装着用固定バンドに設けられる第１固定部と、
前記ジャケット本体の他側部に設けられるとともに前記第１固定部を着脱自在に固定する第２固定部と、
前記ジャケット本体の側部から突出して前記保護体をジャケット本体へ着脱自在に固定する保護体用固定部と、を備え、
前記第１固定部と前記第２固定部の少なくともいずれか一方が、第１固定部と第２固定部とによる固定位置を設定自在にすべく前記ジャケット本体の横断方向に沿って設けられていることを特徴する動物用ジャケット。
【請求項２】
前記保護体が格子体であることを特徴とする請求項１記載の動物用ジャケット。
【請求項３】
前記ジャケット本体は、着用時に動物の排泄器を覆わないように形成された開口部を備えることを特徴とする請求項１記載の動物用ジャケット。
【発明の詳細な説明】
【０００１】
【発明の属する技術分野】
本発明は動物用ジャケットに関し、特に皮膚の一部を保護するにあたり、周辺環境と変わらない状態で、かつ外部からの接触が断たれた状態で皮膚の一部を保護するのに好適な動物用ジャケットに関する。
【０００２】
【従来の技術】
皮膚外用剤や化粧料等、皮膚に塗布すべき塗布物（以下、「薬剤等」という）の効能や安全性等を確認する手法として、動物の皮膚の一部に前記薬剤等を塗布して、その経過を観察する動物実験が従来より行われている。
【０００３】
前述した動物実験では、薬剤等を塗布した皮膚の一部を覆うことなく観察することが一般に望ましい。このため、薬剤等が塗布された動物を動物用ゲージ内に放したり、あるいは動物の四肢を固定台に縛る等、行動が拘束された動物に薬剤等を塗布することによって、薬剤等が塗布された動物や、塗布面である皮膚の一部の様子を観察する動物実験が行われる。これらの動物実験は、例えば薬剤等の塗布が動物の身体に及ぼす影響や、塗布された皮膚の様子等を観察することによって、薬剤等の効能や安全性等を確認しようとするものである。
【０００４】
【発明が解決しようとする課題】
しかし、前述した動物実験では、薬剤等を一定期間中、動物に連続して複数回塗布しながら観察する必要があったり、あるいは薬剤等を動物に一回塗布後、一定期間観察する必要があるため、少なくとも以下に示す問題点が指摘される。
【０００５】
まず、動物を動物用ゲージ内にそのまま放す動物実験では、動物が薬剤等を自ら掻き取ってしまったり、あるいはゲージ内部や他の動物等との接触によって薬剤等が掻き取られてしまうことが多く、動物実験によって得られるデータの信憑性が低くなってしまう。
【０００６】
また、動物の行動を拘束する動物実験では、塗布箇所の掻き取りは防止されるものの、行動の拘束に伴って動物に多大なストレスがかかり、動物の身体や生理現象に影響を及ぼしたり、あるいは動物がストレスに耐えられずに死亡してしまうことが多く、動物実験によって得られるデータの信憑性が低くなってしまう。
【０００７】
本発明は前述した問題点等に鑑みてなされたものであり、外部からの接触を断つことができるとともに、動物の行動の拘束をより抑制することができ、かつより容易に動物の皮膚の一部を保護することを技術的課題とする。
【０００８】
【課題を解決するための手段】
本発明は動物用ジャケットであり、前述した技術的課題を解決する手段として、以下に示す構成とされている。
すなわち本発明の動物用ジャケットは、保護すべき部位を皮膚の一部に有する動物が着用するためのジャケットであって、前記保護すべき部位を覆うことなく前記動物に着用されるジャケット本体と、通気性を有するとともに前記保護すべき部位に接触しない間隔を置いて保護すべき部位を覆うように前記ジャケット本体に固定される保護体とを備え、前記ジャケット本体は、前記動物の胴回り方向に沿って設けられて動物を胴回り方向に締め付け自在な締め付け手段を備えるとともに前記保護体をジャケット本体へ着脱自在に固定する構成とされている。
【０００９】
前記構成によれば、前記動物用ジャケットを着用した動物は、動物と一体的に固定される保護体によって保護すべき部位が保護されるため、動物の行動を拘束することなく保護すべき部位への外部からの接触を断つことが可能となる。
【００１０】
また前記構成によれば、ジャケット本体が動物を胴回り方向に締め付け自在であることから、動物にジャケット本体を着用させるにあたり、適度に締め付けてジャケット本体をその動物に合うように着用させることができるとともに、動物の個体差等に対応させることができるので、過度の締め付けがなく、動物の行動の拘束をより抑制することが可能となる。
【００１１】
また前記構成によれば、ジャケット本体と保護体とが着脱自在に固定されることから、ジャケット本体を動物に着用させるのが容易であるとともに、動物が着用しているジャケット本体への保護体の固定が容易であるので、より容易に皮膚の一部を保護することが可能となる。
【００１２】
また、本発明の動物用ジャケットは、前記ジャケット本体が、動物の四肢がそれぞれ挿通するように前記ジャケット本体に設けられた肢用孔部と、前記ジャケット本体の一側部から延出する装着用固定バンドと、この装着用固定バンドに設けられる第１固定部と、前記ジャケット本体の他側部に設けられるとともに前記第１固定部を着脱自在に固定する第２固定部と、前記ジャケット本体の側部から突出して前記保護体をジャケット本体へ着脱自在に固定する保護体用固定部とを備え、前記第１固定部と前記第２固定部の少なくともいずれか一方が、第１固定部と第２固定部とによる固定位置を設定自在にすべく前記ジャケット本体の横断方向に沿って設けられている構成とされている。
【００１３】
前記構成によれば、第１固定部と第２固定部とによる固定位置を、ジャケット本体を着用させる動物の個体差等に応じて適当な位置を簡単に設定することができ、動物の拘束の抑制、及びジャケット本体を動物に着用させる際の作業性等についてより一層好ましい。また前記構成によれば、ジャケット本体への保護体の着脱作業が保護体の外側から行うことができ、保護体の着脱する際の作業性等についてより一層好ましい。
【００１４】
また、本発明の動物用ジャケットは、前記ジャケット本体が、着用時に動物の排泄器を覆わないように形成された開口部を備える構成とされている。この構成によれば、ジャケット本体を着用した動物の不快感をより低減させることが可能となりさらに好ましい。
【００１５】
本発明の動物用ジャケットを着用すべき動物は特に限定されないが、動物実験に用いられるような小動物が好ましい。このような小動物としては、例えばマウス、ラット、ウサギ等を例示することができる。
【００１６】
前記ジャケット本体は、前記保護すべき部位を含まない動物の皮膚を覆うことによって、動物へのジャケット本体の着用が確実にされるとともに保護体が動物に対して十分に固定されるための土台とも言うべきも構成である。従ってジャケット本体は、ジャケット本体の確実な着用及び保護体の固定が達成されるように十分な大きさに形成されていることが好ましい。またジャケット本体は、動物に対するジャケット本体の被覆面積が大きい場合には、複数の孔を設けて網目状等となるように形成しても良い。
【００１７】
またジャケット本体は、柔軟性や伸縮性、及び通気性を有する部材（例えば布等）によって形成されることが、ジャケット本体の動物への密着性を高めつつもジャケット本体を着用した動物の行動の拘束を抑制し、ジャケット本体着用時における動物の不快感を低減させる観点から好ましい。また同様の観点から、ジャケット本体には動物の形状や姿勢等に応じて切り込みやダーツ（ひだ）、縫い合わせ等を適所に設けることが好ましい。
【００１８】
前記締め付け手段は、動物を胴回り方向へ締め付け自在にすることで、ジャケット本体の動物への着用を確実にするとともに、適度な着用状態を実現してジャケット本体を着用することによる動物の不快感をより低減させようとするための構成である。従って締め付け手段は、例えばゴムバンドのような伸縮自在な弾性部材による締め付けであっても良いし、動物の胴回り方向における所定の位置において固定可能なバンドであっても良い。また締め付け手段は、前述した弾性部材による収縮と所定位置での固定との両方を併用する構成であっても良い。
【００１９】
前記肢用孔部は、動物の四肢をそれぞれ挿通することにより、ジャケット本体着用時における動物の行動の自由度を確保するとともに、着用時におけるジャケット本体が動物の長手方向及び胴回り方向へのずれを防止する構成である。従って肢用孔部は、ジャケット本体を着用する動物に応じた位置に設けられることが好ましい。また肢用孔部は、ジャケット本体を着用する動物の四肢に応じた形状に形成されると良く、肢用孔部の形状としては、円形、あるいは楕円形等の非円形などを例示することができる。
【００２０】
前記装着用固定バンドは、ジャケット本体の着用に際して、前記ジャケット本体の一側部から動物の胴回り方向に延出して、ジャケット本体の他側部と固定されるための構成である。従って装着用固定バンドは、ジャケット本体の一側部からジャケット本体の他側部に向けて延出すれば良いが、ジャケット本体の他側部に対して先端を十分余らせて到達するほど延出することが好ましい。また装着用固定バンドは、前記動物がジャケット本体を着用するのに十分となるように設けられると良く、その数については特に限定されず、その配置については保護すべき部位を覆わない配置であれば良い。
【００２１】
前記第１固定部は、動物の胴回り方向に沿って締め付け自在にジャケット本体を着用させるための一方の構成である。そして前記第２固定部は、動物の胴回りに沿って締め付け自在にジャケット本体を着用させるための他方の構成である。従って第１固定部及び第２固定部は、適当な締め具合となるように固定位置を適宜設定できる構成であることが好ましく、さらにはワンタッチで互いが固定される形態であることがより好ましい。また第１固定部及び第２固定部は、少なくともいずれか一方がジャケット本体の横断方向に沿って細長に、あるいは複数設けられていることが好ましい。
【００２２】
より詳しく説明すると、装着用固定バンドがジャケット本体の他側部まで到達しない程度に延出している場合では、第２固定部は、ジャケット本体の他側部からジャケット本体の横断方向に沿ってジャケット本体の一側部へ向けて十分に延出するように設けられると良い。装着用固定バンドがジャケット本体の他側部へ十分に到達するように延出する場合では、第２固定部は、ジャケット本体の他側部からジャケット本体の横断方向に沿って装着用固定バンドの先端における到達位置までのジャケット本体上に設けられると良い。さらに装着用固定バンドがジャケット本体の他側部へ十分に到達するように延出する場合では、第１固定部は、装着用固定バンドの延出方向に沿って細長に、あるいは複数設けられても良い。
【００２３】
前述したような第１固定部及び第２固定部としては、例えばベルトの孔とベルトの止め具、フックとこのフックの係合部材、ボタンとボタンホール、面ファスナー等を例示することができる。また前述した装着用固定バンドは、少なくとも一部を例えばゴムひものような伸縮自在な弾性部材で構成することによって、第１固定部と第２固定部との固定位置を弾性部材の伸縮長さにおいて設定自在な構成としても良い。
【００２４】
前記保護体用固定部は、動物に着用されたジャケット本体に保護体を固定するための構成である。従って保護体用固定部は、保護体をジャケット本体に固定できれば、その数や配置等は特に限定されない。また保護体用固定部は、ジャケット本体に保護体を固定するにあたり、保護体の外側から保護体を固定できる構成であることが好ましく、このような保護体用固定部としては、ジャケット本体の側部から延出するバンド及びこのバンドに設けられ保護体に係止自在なフック等を例示することができる。
【００２５】
また保護体用固定部は、少なくともその一部に弾性部材を使用し、弾性部材の収縮力を保護体の固定に利用する構成としても良い。保護体用固定部に使用される弾性部材としては、例えばゴムひもやコイルバネ等を例示することができる。
【００２６】
前記開口部は、動物に着用されたジャケット本体が動物の排泄器を覆わないようにするための構成である。従って開口部は、ジャケット本体を着用する動物の種類、性別、大きさ等によって適当に設けられると良い。また開口部は、ジャケット本体に設けられた孔であっても良いし、ジャケット本体に設けられた切り込みの適所が縫い合わせて形成される構成であっても良い。
【００２７】
前記保護体は、保護体の縁部が保護すべき部位の周囲を囲い、かつ所定の間隔を置いて保護すべき部位を覆う形状に形成されていると好ましい。保護体の縁部の形状は、円形、楕円形等の非円形、方形等の多角形、などを例示することができる。また保護体の断面形状は、方形等の多角形、蒲鉾形、馬蹄形、などを例示することができる。また保護体は、動物の形状や姿勢等に合った丸みを帯びさせると、ジャケット本体に固定されたときの安定性がより向上するので好ましい。
【００２８】
また保護体は、通気性の良い構造であれば良く、例えば有孔体、網目体、格子体等によって形成されると好ましく、保護体を格子体で形成されると、通気性が良いとともに保護すべき部位を観察しやすいことからさらに好ましい。
【００２９】
また保護体は、例えば動物の行動による他所への衝突や、動物による引っ掻き行為、あるいは他の動物による引っ掻き行為や噛みつき行為等に対して形状を維持する強度を備えていることが好ましい。また前述した動物実験や治療等に使用される場合では、強度に加えて保護すべき部位に塗布される前記薬剤等に対して影響されない材質であることがさらに好ましい。このような材質としては、ステンレス等の金属を例示することができる。
【００３０】
また保護体は、ジャケット本体に固定された時に、保護体の縁部がジャケット本体上にあるようにジャケット本体に固定されることにより、保護体の縁部との摩擦によって生じる動物の擦過傷を抑制するように固定されても良い。また保護体は、保護体の縁部により柔軟な緩衝部材等を適宜配置することにより、動物の擦過傷を抑制する構成としても良い。さらに保護体は、保護体の縁部に沿ってのりしろを設けることにより、動物の擦過傷を抑制するとともにジャケット本体への固定時における安定性をより向上させる構成としても良い。
【００３１】
【発明の実施の形態】
以下、本発明の動物用ジャケットにおける一実施の形態を、添付した図面に基づき説明する。なお本実施の形態では、動物用ジャケットを着用すべき動物がラットであり、保護すべき部位が背部であるとして説明する。
まず本実施の形態における動物用ジャケットを図１に示す。
【００３２】
本実施の形態における動物用ジャケットは、図１に示されるように、背部を覆うことなくラットに着用されるジャケット本体１と、通気性を有するとともに背部に接触しない間隔を置いて背部を覆うようにジャケット本体１に固定される保護体２とを備えている。ジャケット本体１は、ラットの胴回り方向に沿って設けられてラットを胴回り方向に締め付け自在な締め付け手段を備えるとともに、保護体２をジャケット本体１へ着脱自在に固定する構成とされている。
次にジャケット本体１及び保護体２について、図２及び図３に基づき、より詳細に説明する。
【００３３】
ジャケット本体１の展開図を図２に示す。ジャケット本体１は、図２に示されるように、ラットの四肢をそれぞれ挿通するようにジャケット本体１に設けられた４つの肢用孔部３と、ジャケット本体１の一側部から延出する装着用固定バンド４、５と、それぞれの装着用固定バンド５、６に設けられる第１固定部６、７と、ジャケット本体１の他側部に設けられるとともに第１固定部６、７をそれぞれ着脱自在に固定する第２固定部８、９と、ジャケット本体１の側部から突出して保護体２をジャケット本体１へ着脱自在に固定する４つの保護体用固定部１０とを備えている。
【００３４】
ジャケット本体１は、ラットの長手方向に沿ってラットの腹部を覆う形状に形成されている。ジャケット本体１の前辺は、前辺中央部分が窪むようなＷ字型に形成されており、ジャケット本体１の後辺には切り込みＡが設けられているとともに縫いしろＢが設けられている。またジャケット本体１における保護体用固定部１０の基端中央側には、切り込みＣがそれぞれ設けられている。
【００３５】
肢用孔部３は、略楕円形状に形成されている。ラットの前肢が挿通する肢用孔部３は、装着用固定バンド４と前方の保護体用固定部１０との側方、及び第２固定部８と前方の保護体用固定部１０との側方に設けられている。ラットの後肢が挿通する肢用孔部３は、それぞれ後方の保護体用固定部１０の側方に設けられている。
【００３６】
装着用固定バンド４は、前方の保護体用固定部１０より前方におけるジャケット本体１の一側部から延出している。装着用固定バンド５は、後方の保護体用固定部１０より前方におけるジャケット本体１の一側部から延出している。装着用固定バンド４は、ラットがジャケット本体１を着用した時に、ジャケット本体１の他側部まで到達しない延出長さ（例えば３０mm程度）とされている。装着用固定バンド５は、ラットがジャケット本体１を着用した時に、ジャケット本体１の他側部まで十分に到達する延出長さ（例えば８５mm程度）とされている。
【００３７】
第１固定部６、７は、ともに面ファスナーの一方の接合面であり、図２の紙面における表側に設けられている。第１固定部６は、装着用固定バンド４のほぼ全長にわたって設けられている。第１固定部７は、装着用固定バンド５の先端付近に設けられている。
【００３８】
第２固定部８、９は、ともに面ファスナーの他方の接合面であり、図２の紙面における裏側に設けられている。第２固定部８は、ジャケット本体１の他側部から延出（例えば３０mm程度）して設けられている。第２固定部９は、後方の肢用孔部３の前方においてジャケット本体１の横断方向に沿って所定の長さ（例えば７０mm程度）に設けられている。第１固定部６、７及び第２固定部８、９は、それぞれの少なくとも一部分が重なれば固定され、第１固定部６、７及び第２固定部８、９の長さは、ラットのジャケット本体１着用時における固定位置をジャケット本体１の横断方向に沿って複数箇所に設定できる十分な長さとされている。
【００３９】
保護体用固定部１０は、ジャケット本体１の側部から延出する保護体固定用バンド１０ａと、保護体固定用バンド１０ａに設けられるフック１０ｂとによって構成されている。保護体固定用バンド１０ａは、ジャケット本体１の側部から適当な長さ（例えば３０mm程度）延出している。フック１０ｂは、図２の紙面における表側にあって、保護体固定用バンド１０ａの先端を適当な長さ（例えば１０mm程度）余らせた位置に、図２の紙面における表側へ先端が屈曲するように設けられている。
【００４０】
切り込みＡは、後方の肢用孔部３の間に設けられている。切り込みＡは、ジャケット本体１の後辺から適当な長さ（例えば３０〜４０mm程度）切り込まれて形成され、縫いしろＢが縫い合わされると、切り込みＡは本発明における開口部となるように構成されている。切り込みＣはジャケット本体１の側部から適当な長さ（例えば５mm程度）切り込まれて形成されている。なお、ジャケット本体１、装着用固定バンド４、５、及び保護体固定用バンド１０ａは、柔軟で伸縮性及び通気性を有する布によって形成されている。
【００４１】
保護体２は、図３に示されるように、ステンレス製の針金によって蒲鉾形の格子体に形成されている。保護体２は、短手方向及び長手方向に沿って丸みを帯びるように曲げられた構成とされている。保護体２の縁部から保護体２の頂部までの間隔は、保護体２がジャケット本体１に固定された時に、保護体２がラットの背部に接触しないような間隔（例えば３０mm程度）とされている。
【００４２】
次に、本実施の形態における動物用ジャケットのラットへの着用について説明する。なお、ジャケット本体１は、縫いしろＢが互いに縫い合わされており、切り込みＡが本発明の開口部として形成されているものとして説明する。
【００４３】
まず、ラットへのジャケット本体１の着用は、図２の紙面における表側からラットの尾を前記開口部（切り込みＡと縫いしろＢとの間）に挿通するとともに、対応するそれぞれの肢用孔部３にラットの四肢を挿通する。そして、装着用固定バンド５をラットの胴回り方向に沿って締め付けるようにして、ラットの腰部を越えてジャケット本体１の他端側へ引き寄せ、第１固定部７と第２固定部９とを接合させる。さらに、装着用固定バンド４と第２固定部８とをラットの胴回り方向に沿って締め付けるようにして互いに引き寄せ、ラットの頚部付近で第１固定部６と第２固定部８とを接合させる。このように、ラットの腰部付近での接合を先に行うと、ラットの後肢を持つことなくラットの頚部付近での接合を行うことができて便利である。以上のような作業によって、図４に示されるように、ジャケット本体１がラットに着用される。
【００４４】
またラットに着用されたジャケット本体１は、前記開口部を設け、この開口部にラットの尾を挿通することにより、図５に示されるように、ジャケット本体１の着用によってラットの排泄器が覆われないようになっている。
【００４５】
ラットにジャケット本体１が着用されたら、ラットの背部に保護体２を適当な位置に被せ、保護体固定用バンド１０ａを上方に引き寄せつつ、保護体２の長手方向に沿う格子等、保護体２の適所に保護体２の外側からフック１０ｂをかける。すると保護体２がジャケット本体１へ着脱自在に固定される（図１参照）。
【００４６】
ジャケット本体１は、柔軟で伸縮性及び通気性を有する布によって形成されていることから、ジャケット本体１を着用したラットの不快感が低減される。またジャケット本体１は、ラットの動作に追従しやすいため、ラットの行動の拘束がより抑制される。またジャケット本体１は、ラットの四肢に対応する肢用孔部３を備えることから、ラットへの着用時におけるジャケット本体１の長手方向及び胴回り方向へのジャケット本体１のずれが防止される。
【００４７】
またジャケット本体１は、その前辺が前述したようにＷ字形に形成されていることから、ラットの首まわりでのジャケット本体１の密着性が高まる。またジャケット本体１は、ジャケット本体１の側部における保護体用固定部１０の基端に切り込みＣが設けられているため、保護体２固定時における保護体用固定部１０基端付近で、ジャケット本体１のラットへの密着性が高まる。
【００４８】
またジャケット本体１は、面ファスナーである第１固定部６、７及び第２固定部８、９を備えており、これらの固定部が固定位置をジャケット本体１の横断方向に沿って複数箇所に設定できる十分な長さに設けられていることから、ラットの胴回り方向における適当な位置で第１固定部と第２固定部とが固定され、ラットの胴回り方向に沿って締め付け自在にラットへ着用される。
【００４９】
またジャケット本体１は、保護体固定用バンド１０ａ及びフック１０ｂ（保護体用固定部１０）を備えるていることから、保護体２が着脱自在にジャケット本体１へ固定されるとともに、ジャケット本体１への保護体２の固定に際して、保護体２が外側から固定される。
【００５０】
なお、保護体用固定部１０は、保護体固定用バンド１０ａの長手方向（延出方向）に沿って延びるレールを設け、このレール上にフック１０ｂを摺動かつ固定自在に設けることによって、フック１０ｂの保護体２へのかかり位置を自在に調整できる構成としても良い。
【００５１】
また本実施形態では、装着用固定バンド４、５、第１固定部６、７、及び第２固定部８、９によって本発明における締め付け手段を構成するとともに、第１及び第２固定部に面ファスナーを用いたが、例えば装着用固定バンド４、５にボタンホールを第１固定部として設け、このボタンホールにかけられるボタンを第２固定部としてジャケット本体１の横断方向に沿って連設する等、第１及び第２固定部の少なくともいずれか一方を複数設けることによって前記締め付け手段を構成しても良い。
【００５２】
本実施の形態における動物用ジャケットは、保護すべき部位であるラットの背部を覆うことなく着用されるジャケット本体１と、通気性を有するとともにラットの背部に接触することなく背部を覆うようにジャケット本体１に着脱自在に固定される保護体２とを備えることから、ラットの背部への外部からの接触を断つことができる。このため、本実施の形態における動物用ジャケットを使用することによって、前述した動物実験で信憑性の高いデータを得ることができる。また本実施の形態における動物用ジャケットは、動物実験の他に、ラット背部の外傷や疾患等の治療にも利用することができる。
【００５３】
また本実施の形態における動物用ジャケットは、ジャケット本体１の材質や肢用孔部３の形成、及び切り込みＣ等が適宜設けられていること等によって、着用時におけるジャケット本体１の密着性が高まり、かつジャケット本体１がラットの胴回り方向に沿って締め付け自在であることから、ラットの固体差等に合わせた着用状態でジャケット本体１をラットに着用させることができるので、ラットの行動の拘束をより抑制することができる。
【００５４】
また本実施の形態における動物用ジャケットは、ラットの胴回り方向における締め付け位置を固定するのにあたり、面ファスナーを用いたことから、第１固定部６、７と第２固定部８、９とが重なり合う範囲において、両固定部による固定位置を自在に設定することができる。また両固定部の接合面積が大きくなるにつれて両固定部による固定がより強固になるため、適度な締め付け具合を調整、維持するのにより一層効果的である。
【００５５】
また本実施の形態における動物用ジャケットは、ジャケット本体１着用時においてラットの排泄器をジャケット本体１が覆わない構成とされていることから、ジャケット本体１の着用時におけるラットの不快感をより低減することができる。
【００５６】
また本実施の形態における動物用ジャケットは、保護体２を保護体２の外側からジャケット本体１へ固定できることから、保護体２の固定や保護体２の固定位置の調整等がより容易に行うことができる。また保護体固定用バンド１０ａの先端をやや余らせた位置にフック１０ｂが設けられていることから、保護体固定用バンド１０ａの先端を摘んで保護体２へフック１０ｂをかけることができ、ジャケット本体１へ保護体２をさらに容易に固定することができる。このため、ジャケット本体１への保護体２の着脱がより一層容易に行われることから、前述した動物実験における薬剤等の連続塗布や外傷等の治療のように、保護体２のみを取り外す場合により有利である。
【００５７】
また本実施の形態における動物用ジャケットは、保護体用固定部１０が肢用孔部３の側方にあって、保護体２の固定時に、肢用孔部３周辺のジャケット本体１が上方に吊られるような形となり、ラットの肢が肢用孔部３から抜け出すのをより一層防止することができる。
【００５８】
また本実施の形態における動物用ジャケットは、保護体２がステンレス製の針金によって格子状に形成されていることから、ラットの背部における通気性が確保されるとともに十分な強度を有する。また保護体２が格子状であることから、ラット背部の様子を目視するのに好適である。従って、ラットの背部を周辺環境とほとんど変わらない状態で保護することができる。
【００５９】
【発明の効果】
本発明の動物用ジャケットは、動物の保護すべき部位を覆うことなく動物に着用されるジャケット本体と、通気性を有するとともに保護すべき部位に接触しない間隔を置いて保護すべき部位を覆うようにジャケット本体に固定される保護体とを備え、ジャケット本体が、動物の胴回り方向に沿って設けられて動物を胴回り方向に締め付け自在な締め付け手段を備えるとともに、保護体をジャケット本体へ着脱自在に固定する構成とされていることから、保護すべき部位への外部からの接触を断つことができるとともに、動物の行動を拘束せず、かつ容易に保護すべき部位を保護することができる。
【００６０】
また本発明の動物用ジャケットは、ジャケット本体が、動物の四肢がそれぞれ挿通するようにジャケット本体に設けられた肢用孔部と、ジャケット本体の一側部から延出する装着用固定バンドと、この装着用固定バンドに設けられる第１固定部と、ジャケット本体の他側部に設けられるとともに第１固定部を着脱自在に固定する第２固定部と、ジャケット本体の側部から突出して保護体をジャケット本体へ着脱自在に固定する保護体用固定部とを備え、第１固定部と第２固定部の少なくともいずれか一方が、第１固定部と第２固定部とによる固定位置を設定自在にすべくジャケット本体の横断方向に沿って設けられる構成とすると、動物の行動の拘束をより一層抑制することができるとともに、ジャケット本体を動物に着用させる際の、及びジャケット本体へ保護体を着脱する際の作業性をより向上させることができる。
【００６１】
また本発明の動物用ジャケットは、ジャケット本体が、着用時に動物の排泄器を覆わないように形成された開口部を備える構成とすると、ジャケット本体を着用した動物の不快感をより低減することができる。
【図面の簡単な説明】
【図１】本発明の動物用ジャケットにおける一実施の形態を示す図である。
【図２】図１の動物用ジャケットにおけるジャケット本体の展開図である。
【図３】図１の動物用ジャケットにおける保護体を示す図である。
【図４】図２のジャケット本体が動物に着用された状態を示す図である。
【図５】図２のジャケット本体を着用した動物を腹部側から見た図である。
【符号の説明】
１  ジャケット本体
２  保護体
３  肢用孔部
４、５  装着用固定バンド
６、７  第１固定部
８、９  第２固定部
１０  保護体用固定部
１０ａ  保護体固定用バンド
１０ｂ  フック
Ａ、Ｃ  切り込み
Ｂ  縫いしろ
【図１】
0003809041.tif 000002
【図２】
0003809041.tif 000003
【図３】
0003809041.tif 000004
【図４】
0003809041.tif 000005
【図５】
0003809041.tif 000006